(57)【要約】【課題】改良した半導体レーザー・回折格子取り付け機構部を提供する。【解決手段】第１ホルダー３１の一端面側に半導体レーザー１２が取り付けられ、且つ、第１ホルダー３１の他端面側に軸孔嵌合された第２ホルダー３２に回折格子１３が固着されており、この第２ホルダー３２を第１，第２ホルダー３１，３２の軸孔嵌合により生じる隙間内の一方側に押し寄せるように板バネ３４により付勢して一方側の隙間をなくし、第１，第２ホルダー３１，３２の軸孔嵌合を介して第２ホルダー３２に固着した回折格子１３を半導体レーザー１２から出射されたレーザー光Ｌの光軸ＬＫに対して直交する方向に回転位置調整すると共に、半導体レーザー１２から出射されるレーザー光Ｌの光軸ＬＫを光学ベース１１内に設定した基準光軸Ｋに略一致させるように、板バネ３４を介して一体化させた第１，第２ホルダー３１，３２を光学ベース１１に対して傾動させている。【選択図】図３
2009032311.tif 000002
【特許請求の範囲】
【請求項１】
レーザー光を出射する半導体レーザーと、前記半導体レーザーから出射された前記レーザー光を回折して０次光と±１次光とによる３ビームに分離する回折格子と、前記回折格子で分離された前記３ビームを往路の３ビームとして光ディスク側に通過させると共に前記光ディスク側で反射された復路の３ビームを分離する偏光ビームスプリッタと、前記往路の３ビームを絞り込んで前記光ディスクの信号面に照射する対物レンズと、前記光ディスクの信号面で反射された前記復路の３ビームを検出する多分割型光検出器とを、光学ベース内で仮想に設定した基準光軸に沿って少なくとも配置した光ピックアップ装置において、
前記半導体レーザーを一端面側に取り付けて、前記一端面側と対向する他端面側から前記レーザー光を出射する第１ホルダーと、
前記第１ホルダーの前記他端面側に一端面側が軸孔嵌合され、且つ、他端面側に前記回折格子が固着された第２ホルダーと、
前記第２ホルダーを第１，第２ホルダーの軸孔嵌合により生じる隙間内の一方側に押し寄せるように付勢して該一方側の隙間をなくし、前記第１，第２ホルダーの軸孔嵌合を介して前記第２ホルダーに固着した前記回折格子を前記半導体レーザーから出射された前記レーザー光の光軸に対して直交する方向に回転位置調整した状態で前記第１，第２ホルダーを一体的に押圧挟持する板バネと、
前記半導体レーザーから出射される前記レーザー光の光軸を前記基準光軸に略一致させるように前記板バネを介して一体化させた前記第１，第２ホルダーを前記光学ベースの半導体レーザー取り付け面に対して傾動させる傾動手段と、
を備えたことを特徴とする光ピックアップ装置。
【請求項２】
レーザー光を出射する半導体レーザーと、前記半導体レーザーから出射された前記レーザー光を回折して０次光と±１次光とによる３ビームに分離する回折格子と、前記回折格子で分離された前記３ビームを往路の３ビームとして光ディスク側に通過させると共に前記光ディスク側で反射された復路の３ビームを分離する偏光ビームスプリッタと、前記往路の３ビームを絞り込んで前記光ディスクの信号面に照射する対物レンズと、前記光ディスクの信号面で反射された前記復路の３ビームを検出する多分割型光検出器とを、光学ベース内で仮想に設定した基準光軸に沿って少なくとも配置した光ピックアップ装置において、
前記半導体レーザーを一端面側に取り付け、且つ、前記一端面側と対向する他端面側に前記回折格子を固着した第１ホルダーと、
前記半導体レーザーから出射される前記レーザー光の光軸を前記基準光軸に略一致させるように前記第１ホルダーを前記光学ベースの半導体レーザー取り付け面に対して傾動させると共に、前記回折格子を前記半導体レーザーから出射された前記レーザー光の光軸に対して直交する方向に回転位置調整するように前記第１ホルダーを前記光学ベースの半導体レーザー取り付け面に対して回転させる傾動及び回転手段と、
を備えたことを特徴とする光ピックアップ装置。
【発明の詳細な説明】
【技術分野】
【０００１】
本発明は、半導体レーザーから出射されるレーザー光の光軸を光学べース内で仮想に設定した基準光軸に略一致させるように調整でき、且つ、回折格子を半導体レーザーから出射されるレーザー光の光軸に対して直交する方向に回転位置調整できるように構成した光ピックアップ装置に関するものである。
【背景技術】
【０００２】
一般的に、円盤状の光ディスクは、映像情報とか音声情報やコンピュータデータなどの情報信号を透明基板上で螺旋状（又は同心円状）に形成したトラックに高密度に記録し、且つ、記録済みのトラックを再生する際に所望のトラックを高速にアクセスできることから多用されている。
【０００３】
この種の光ディスクには、ＣＤ(Compact Disc)や、ＤＶＤ(Digital Versatile Disc)の他に、最近、ＤＶＤよりも情報信号を超高密度に記録又は再生できるＢＤ(Blu-ray Disc)が出回っており、この種の光ディスクは光ピックアップ装置を用いて記録又は再生している。
【０００４】
この際、光ピックアップ装置は、小型化、薄型化に対する要求が強くなってきている。これに伴って、光ピックアップ装置内での光学部品の実装密度が高くなり、組み立て時の作業性を確保することが課題となると共に、組み立て精度の高精度化も課題になっている。
【０００５】
ここで、一般的な光ピックアップ装置について図７及び図８を用いて説明する。
【０００６】
図７は一般的な光ピックアップ装置を示した構成図、
図８は一般的な光ピックアップ装置から出射させたメインビームと一対のサブビームとを光ディスクの信号面に形成したトラック上に照射した状態を拡大して示した平面図である。
【０００７】
図７に示した如く、一般的な光ピックアップ装置１０Ｃでは、基台となる光学ベース１１がアルミダイキャスト材又は硬質樹脂材などを用いて箱状に形成されており、この光学ベース１１に半導体レーザー１２と、回折格子１３と、コリメーターレンズ１４と、偏光ビームスプリッタ１５と、モニタ用集光レンズ１６と、モニタ用光検出器１７と、立ち上げミラー１８と、１／４波長板１９と、対物レンズ２０と、レンズホルダー２１と、フォーカスコイル２２と、トラッキングコイル２３と、検出レンズ２４と、シリンドリカルレンズ２５と、多分割型光検出器２６とが内蔵されている。
【０００８】
そして、上記した一般的な光ピックアップ１０Ｃにおいて、光学ベース１１の外側面となる半導体レーザー取り付け面１１ａに半導体レーザー１２が接着剤を用いて固着されており、この半導体レーザー１２から出射した波長λ（ｎｍ）のレーザー光Ｌは、直線偏光光（ｐ偏光光）の発散光であり、光ディスクＤとして例えばＢＤを適用した場合には設計波長λが４０５ｎｍ前後に設定され、また、ＤＶＤを適用した場合には設計波長λが６５０ｎｍ前後に設定されている。
【０００９】
また、光学ベース１１内で仮想に設定した基準光軸Ｋに沿って、上記した複数の光学部品が配置されている。
【００１０】
具体的に説明すると、半導体レーザー１２から出射した発散光のレーザー光Ｌが回折格子１３に入射されている。この回折格子１３は、光ディスクＤの信号面ｄ１上に形成された螺旋状（又は同心円状）のトラックに対してトラッキング制御を行なう際に３ビーム方式を適用するために、表面に複数の格子（図示せず）がライン状に形成されているものである。
【００１１】
そして、半導体レーザー１２から出射した発散光のレーザー光Ｌが回折格子１３により回折されて０次光（メインビームＭＢ）と±１次光（一対のサブビームＳＢ１，ＳＢ２）とによる３ビームに分離されている。この時、分離された光の光量比−１次光：０次光：＋１次光は１：１０：１以上、すなわち、０次光ビーム（メインビームＭＢ）の光量を大きく設定している。
【００１２】
この後、回折格子１３で分離されたメインビームＭＢ及び一対のサブビームＳＢ１，ＳＢ２は、コリメーターレンズ１４で平行光に変換された後に偏光ビームスプリッタ１５に入射されている。
【００１３】
上記した偏光ビームスプリッタ１５では、内部に形成した偏光選択性誘電体多層膜１５ａ（ｐ偏光光：９５％透過、５％反射、ｓ偏光光：反射）で略９５％透過して往路のレーザー光となる一方、偏光ビームスプリッタ１５の偏光選択性誘電体多層膜１５ａで略５％反射されたモニタ用のレーザー光がモニタ用集光レンズ１６を介してモニタ用光検出器１７に入射され、このモニタ用光検出器１７で半導体レーザー１２から出射したレーザー光Ｌのレーザー出力を監視している。
【００１４】
更に、偏光ビームスプリッタ１５を透過した往路のレーザー光Ｌは、立ち上げミラー１８により光路を９０°曲げられて上方に向かい、波長λのレーザー光Ｌに対してλ／４の位相差を与えて円偏光光に変換する１／４波長板１９を経由して、所定のＮＡ（開口数）を有する対物レンズ２０に入射される。この際、対物レンズ２０を取り付けたレンズホルダー２１の外側には、フォーカスコイル２２とトラッキングコイル２３とが取り付けられている。
【００１５】
上記した対物レンズ２０の所定のＮＡ（開口数）は、光ディスクＤとしてＢＤを適用した場合には０．８５程度に設定され、また、ＤＶＤを適用した場合には０．６〜０．６５程度に設定されている。
【００１６】
そして、対物レンズ２０により絞り込まれた往路のレーザー光Ｌは、図８に示したように、３ビームに分離されたメインビームＭＢ及び一対のサブビームＳＢ１，ＳＢ２の状態で光ディスクＤの信号面ｄ１上に照射され、この信号面ｄ１に形成されたトラックＴに対してメインビームＭＢは一つのトラックＴ０に、且つ、一対のサブビームＳＢ１，ＳＢ２は一つのトラックＴ０の両側に隣接するトラックＴ１，Ｔ２にそれぞれスポット状に合焦された後に反射されて対物レンズ２０側に戻る。
【００１７】
この後、光ディスクＤで反射されて対物レンズ２０に再入射したメインビームＭＢ及び一対のサブビームＳＢ１，ＳＢ２による復路の戻り光は、１／４波長板１９を通過して往路とは偏光方向が直交した直線偏光光（ｓ偏光光）となり、立ち上げミラー１８を経由した後、復路の戻り光は偏光ビームスプリッタ１５の偏光選択性誘電体多層膜１５ａで反射されて、検出レンズ２４で集光された後に、２層光ディスクＤのトラック方向に対して４５°傾けて設置したシリンドリカルレンズ２５で非点収差が与えられて、メインビームＭＢ及び一対のサブビームＳＢ１，ＳＢ２による復路の戻り光が複数の光検出領域（図示せず）を有する多分割型光検出器２６上に結像される。
【００１８】
そして、この多分割型光検出器２６に設けられた複数の光検出領域上に結像された３ビームの各光量を光電変換し、ここで得られた３ビームによる各検出値を不図示のフォーカスサーボ回路及びトラッキングサーボ回路に供給して、フォーカスコイル２２及びトラッキングコイル２３を介して対物レンズ２０をフォーカス方向及びトラッキング方向に制御すると共に、メインビームによる検出値を不図示のＲＦ信号処理回路に供給して光ディスクＤの信号面ｄ１に記録された情報信号を読み取っている。
【００１９】
ところで、部品点数が少なく、組み立て工数を削減できる回折格子装置がある（例えば、特許文献１参照）。
【００２０】
【特許文献１】特開平８−３３０６７４号公報。
【００２１】
図９は従来の回折格子装置を示した断面図である。
【００２２】
図９に示した従来の回折格子装置５０は、上記した特許文献１（特開平８−３３０６７４号公報）に開示されているものであり、特許文献１を参照して簡略に説明すると、従来の回折格子装置５０では、レーザーダイオードなどの発光素子５１がホルダー５２の一端側に取り付けられ、且つ、このホルダー５２の他端側に発光素子５１から出射された光を回折するための回折格子５３が取り付けられており、ホルダー５２と回折格子５３とが一体に成型されているので、回折格子装置５０に対して部品点数を少なくすることができ、且つ、組み立て工数を削減することができる旨が記載されている。
【発明の開示】
【発明が解決しようとする課題】
【００２３】
ところで、先に図７に示した一般的な光ピックアップ装置１０Ｃを用いてＢＤやＤＶＤなどの光ディスクＤに対して情報信号を高密度に記録再生するには、半導体レーザー１２から出射されるレーザー光Ｌの光軸ＫＬを光学ベース１１内で仮想に設定した基準光軸Ｋに略一致させる必要がある。
【００２４】
また、回折格子１３の表面に形成した複数の格子（図示せず）を半導体レーザー１２から出射されるレーザー光Ｌの光軸ＫＬに対して直交する方向に回転させて、図８に示したように、光ディスクＤの信号面ｄ１に形成されたトラックＴ中でメインビームＭＢを一つのトラックＴ０上に正確に照射させ、且つ、一対のサブビームＳＢ１，ＳＢ２を一つのトラックＴ０の両側のトラックＴ１，Ｔ２上に正確に照射させるように、回折格子１３の位置を調整する必要があるが、
この際に、先に図９に示した従来の回折格子装置５０の技術的思想を適用した場合に、部品点数の削減や組み立て工数の削減を図ることができるものの、従来の回折格子装置５０では発光素子５１から出射された光の光軸調整とか、回折格子５３の位置調整を行なうことができない。
【００２５】
そこで、半導体レーザーから出射されるレーザー光の光軸を光学ベース内で仮想に設定した基準光軸に略一致させるように調整でき、且つ、回折格子を半導体レーザーから出射されるレーザー光の光軸に対して直交する方向に回転位置調整できるように構成した光ピックアップ装置が望まれている。
【課題を解決するための手段】
【００２６】
本発明は上記課題に鑑みてなされたものであり、第１の発明は、レーザー光を出射する半導体レーザーと、前記半導体レーザーから出射された前記レーザー光を回折して０次光と±１次光とによる３ビームに分離する回折格子と、前記回折格子で分離された前記３ビームを往路の３ビームとして光ディスク側に通過させると共に前記光ディスク側で反射された復路の３ビームを分離する偏光ビームスプリッタと、前記往路の３ビームを絞り込んで前記光ディスクの信号面に照射する対物レンズと、前記光ディスクの信号面で反射された前記復路の３ビームを検出する多分割型光検出器とを、光学ベース内で仮想に設定した基準光軸に沿って少なくとも配置した光ピックアップ装置において、
前記半導体レーザーを一端面側に取り付けて、前記一端面側と対向する他端面側から前記レーザー光を出射する第１ホルダーと、
前記第１ホルダーの前記他端面側に一端面側が軸孔嵌合され、且つ、他端面側に前記回折格子が固着された第２ホルダーと、
前記第２ホルダーを第１，第２ホルダーの軸孔嵌合により生じる隙間内の一方側に押し寄せるように付勢して該一方側の隙間をなくし、前記第１，第２ホルダーの軸孔嵌合を介して前記第２ホルダーに固着した前記回折格子を前記半導体レーザーから出射された前記レーザー光の光軸に対して直交する方向に回転位置調整した状態で前記第１，第２ホルダーを一体的に押圧挟持する板バネと、
前記半導体レーザーから出射される前記レーザー光の光軸を前記基準光軸に略一致させるように前記板バネを介して一体化させた前記第１，第２ホルダーを前記光学ベースの半導体レーザー取り付け面に対して傾動させる傾動手段と、
を備えたことを特徴とする光ピックアップ装置である。
【００２７】
また、第２の発明は、レーザー光を出射する半導体レーザーと、前記半導体レーザーから出射された前記レーザー光を回折して０次光と±１次光とによる３ビームに分離する回折格子と、前記回折格子で分離された前記３ビームを往路の３ビームとして光ディスク側に通過させると共に前記光ディスク側で反射された復路の３ビームを分離する偏光ビームスプリッタと、前記往路の３ビームを絞り込んで前記光ディスクの信号面に照射する対物レンズと、前記光ディスクの信号面で反射された前記復路の３ビームを検出する多分割型光検出器とを、光学ベース内で仮想に設定した基準光軸に沿って少なくとも配置した光ピックアップ装置において、
前記半導体レーザーを一端面側に取り付け、且つ、前記一端面側と対向する他端面側に前記回折格子を固着した第１ホルダーと、
前記半導体レーザーから出射される前記レーザー光の光軸を前記基準光軸に略一致させるように前記第１ホルダーを前記光学ベースの半導体レーザー取り付け面に対して傾動させると共に、前記回折格子を前記半導体レーザーから出射された前記レーザー光の光軸に対して直交する方向に回転位置調整するように前記第１ホルダーを前記光学ベースの半導体レーザー取り付け面に対して回転させる傾動及び回転手段と、
を備えたことを特徴とする光ピックアップ装置である。
【発明の効果】
【００２８】
請求項１記載の光ピックアップ装置によると、第１ホルダーの一端面側に半導体レーザーが取り付けられ、且つ、第１ホルダーの他端面側に軸孔嵌合された第２ホルダーに回折格子が固着されており、この第２ホルダーを第１，第２ホルダーの軸孔嵌合により生じる隙間内の一方側に押し寄せるように板バネにより付勢して一方側の隙間をなくし、第１，第２ホルダーの軸孔嵌合を介して第２ホルダーに固着した回折格子を半導体レーザーから出射されたレーザー光の光軸に対して直交する方向に回転位置調整すると共に、半導体レーザーから出射されるレーザー光の光軸を光学ベース内で仮想に設定した基準光軸に略一致させるように板バネを介して一体化させた第１，第２ホルダーを光学ベースの半導体レーザー取り付け面に対して傾動させているので、この結果、光ディスクの信号面に形成されたトラック中でメインビームを一つのトラック上に正確に照射させ、且つ、一対のサブビームを一つのトラックの両側のトラック上に正確に照射させることができ、更に、半導体レーザーから出射したレーザー光の光軸の傾き調整と、回折格子の回転位置調整とをそれぞれ分けて調整することで、各調整がし易くなる。
【００２９】
また、請求項２記載の光ピックアップ装置によると、第１ホルダーの一端面側に半導体レーザーが取り付けられ、且つ、半導体レーザーの出射側となる第１ホルダーの他端面側に回折格子が固着されており、更に、半導体レーザーから出射されるレーザー光の光軸を光学ベース内で仮想に設定した基準光軸に略一致させるように第１ホルダーを光学ベースの半導体レーザー取り付け面に対して傾動させると共に、回折格子を半導体レーザーから出射されたレーザー光の光軸に対して直交する方向に回転位置調整するように第１ホルダーを光学ベースの半導体レーザー取り付け面に対して回転させているので、この結果、光ディスクの信号面に形成されたトラック中でメインビームを一つのトラック上に正確に照射させ、且つ、一対のサブビームを一つのトラックの両側のトラック上に正確に照射させることができ、更に、半導体レーザーと回折格子とを第１ホルダーに取り付けているだけであるので両者の取り付け機構が簡単である。
【発明を実施するための最良の形態】
【００３０】
以下に本発明に係る光ピックアップ装置の一実施例について図１〜図６を参照して、実施例１，実施例２の順に詳細に説明する。
【実施例１】
【００３１】
図１は本発明に係る実施例１の光ピックアップ装置を示した構成図、
図２（ａ），（ｂ）は本発明に係る実施例１の光ピックアップ装置において、半導体レーザーと回折格子とを一体的に取り付ける半導体レーザー・回折格子取り付け機構部を示した側断面図，上面図、
図３（ａ），（ｂ）は本発明に係る実施例１の光ピックアップ装置において、半導体レーザーから出射されるレーザー光の光軸を光学ベース内で仮想に設定した基準光軸に略一致させるように調整すると共に、回折格子を半導体レーザーから出射されるレーザー光の光軸に対して直交する方向に回転位置調整する動作を説明するために拡大して示した側面図，上面図である。
【００３２】
図１に示した実施例１の光ピックアップ装置１０Ａは、先に図７を用いて説明した一般的な光ピックアップ装置１０Ｃの構成と一部を除いて同様の構成であり、ここでは説明の便宜上、先に示した構成部材に対しては同一の符号を付し、且つ、異なる構成部材に新たな符号を付して説明する。
【００３３】
図１に示した如く、実施例１の光ピックアップ装置１０Ａでも、先に図７を用いて説明した一般的な光ピックアップ装置１０Ｃと同様に、箱状に形成された光学ベース１１に半導体レーザー１２と、回折格子１３と、コリメーターレンズ１４と、偏光ビームスプリッタ１５と、モニタ用集光レンズ１６と、モニタ用光検出器１７と、立ち上げミラー１８と、１／４波長板１９と、対物レンズ２０と、レンズホルダー２１と、フォーカスコイル２２と、トラッキングコイル２３と、検出レンズ２４と、シリンドリカルレンズ２５と、多分割型光検出器２６とが内蔵されている。
【００３４】
ここで、実施例１の光ピックアップ装置１０Ａにおいて、一般的な光ピックアップ装置１０Ｃに対して異なる点について説明すると、光学ベース１１の半導体レーザー取り付け面１１ａ側に半導体レーザー・回折格子取り付け機構部３０が設けられている。
【００３５】
上記した半導体レーザー・回折格子取り付け機構部３０では、略半球状に形成された第１ホルダー３１の一端面側に半導体レーザー１２が取り付けられ、且つ、半導体レーザー１２の出射側となる第１ホルダー３１の他端面側に軸孔嵌合された第２ホルダー３２に回折格子１３が固着されている。
【００３６】
そして、第２ホルダー３２を第１，第２ホルダー３１，３２の軸孔嵌合により生じる隙間内の一方側に押し寄せるように板バネ３４により付勢して一方側の隙間をなくし、第１，第２ホルダー３１，３２の軸孔嵌合を介して第２ホルダー３２に固着した回折格子１３を半導体レーザー１２から出射されたレーザー光Ｌの光軸ＬＫに対して直交する方向に回転位置調整すると共に、半導体レーザー１２から出射されるレーザー光Ｌの光軸ＬＫを光学ベース１１内に設定した基準光軸Ｋに略一致させるように板バネ３４を介して一体化させた第１，第２ホルダー３１，３２を第３ホルダー３３に対して傾動させて、この第３ホルダー３５を光学ベース１１の半導体レーザー取り付け面１１ａに取り付けている。
【００３７】
より具体的に説明すると、図２（ａ），（ｂ）に示した半導体レーザー・回折格子取り付け機構部３０において、まず、第１ホルダー３１は、樹脂材を用いて半球状外周面３１ａが幅Ｗ１で形成されており、この第１ホルダー３１の一端面３１ｂ側から他端面３１ｃ側に向かって段付き中心孔３１ｄが貫通して穿設されて、第１ホルダー３１の一端面３１ｂ側から半導体レーザー１２が段付き中心孔３１ｄ内に接着剤を用いて固着されている。
【００３８】
また、第１ホルダー３１の一端面３１ｂには、段付き中心孔３１ｄを挟んで一対の治具挿入孔３１ｅ，３１ｆが対称に形成されていると共に、第１ホルダー３１の他端面３１ｂ側には、段付き中心孔３１ｄよりも大径な有底孔３１ｇが段付き中心孔３１ｄと同軸的に形成されている。
【００３９】
次に、第２ホルダー３２は、樹脂材を用いて小径外周軸部３２ａと大径外周円筒部３２ｂとにより段付き円筒状に形成されており、且つ、一端面３２ｃ側から他端面３２ｄ側に向かって中心孔３２ｅが第１ホルダー３１の段付き中心孔３１ｄよりも一回り小径に貫通して穿設されていると共に、他端面３２ｄ側に中心孔３２ｅよりも大径な有底孔３２ｆが中心孔３２ｅと同軸的に形成されて、この有底孔３２ｆ内の中心部位に矩形状の回折格子１３が接着剤を用いて固着されている。
【００４０】
また、第２ホルダー３２の大径外周円筒部３２ｂの外周には、一対の冶具挿入部３２ｇ，３２ｈがそれぞれ外側に向かって対称に二股状に延出されており、これら一対の冶具挿入部３２ｇ，３２ｈは後述する第２治具３７（図３）が当接する二股状の内側面が図３（ａ）に示すように半円弧状に形成されている。
【００４１】
そして、第２ホルダー３２の小径外周軸部３２ａが第１ホルダー３１の有底孔３１ｇ内に軸孔嵌合されているので、第２ホルダー３２の有底孔３２ｆ内に固着した回折格子１３が第１，第２ホルダー３１，３２の軸孔嵌合により回転可能になっている。
【００４２】
次に、第３ホルダー３３は、樹脂材を用いて第１ホルダー３１の幅Ｗ１よりも大きな幅Ｗ２で板状に形成されており、中心部位に円錐孔３３ａが貫通して穿設されていると共に、円錐孔３３ａを挟んで幅方向と直交する方向に互いに対向して一対の切り欠き孔３３ｂ，３３ｃが形成されている。
【００４３】
そして、第３ホルダー３３の円錐孔３３ａ内に第１ホルダー３１の半球状外周面３１ａが傾動可能に嵌め込まれている。
【００４４】
更に、第３ホルダー３３は、光学ベース１１の半導体レーザー取り付け面１１ａに沿ってＸ軸方向と、Ｘ軸に直交するＹ軸方向とに移動可能になっており、第１〜第３ホルダー３１〜３３が一体となって光学ベース１１の半導体レーザー取り付け面１１ａ内を移動することで、光学ベース１１の半導体レーザー取り付け面１１ａに対して半導体レーザー１２の取り付け位置調整が可能になっているものの、半導体レーザー１２の取り付け位置調整を行なわない場合には、第３ホルダー３３を用いずに光学ベース１１の半導体レーザー取り付け面１１ａに円錐孔（図示せず）を直接穿設して、この円錐孔（図示せず）内に第１ホルダー３１の半球状外周面３１ａを傾動可能に嵌め込んでも良い。
【００４５】
次に、板バネ３４は、弾性変位可能なステンレス板材などを用いて枠状に曲げ形されており、第２ホルダー３２の他端面３２ｄと対向する上面３４ａの中心部位に矩形孔３４ｂが幅方向と直交する長手方向に沿って長尺に形成され、且つ、この矩形孔３４ｂ内の長手方向両端に一対の押圧片３４ｃ，３４ｄが互いに対向して光学ベース１１の半導体レーザー取り付け面１１ａに対してそれぞれ内側に向かって角度α傾斜して切り起こし形成されて、これら一対の押圧片３４ｃ，３４ｄが第２ホルダー３２の大径外周円筒部３２ｂと他端面３２ｄとが交差するコーナー部位に当接していると共に、一対の押圧片３４ｃ，３４ｄと連接して一対の中間支持片３４ｅ，３４ｆが第３ホルダー３３内に形成した一対の切り欠き孔３３ｂ，３３ｃを通過して第１ホルダー３１の一端面３１ｂ側に向かって延出され、更に、一対の中間支持片３４ｅ，３４ｆから切り起こし形成された一対の掛止片３４ｇ，３４ｈが第１ホルダー３１の一端面３１ｂに当接している。
【００４６】
従って、半導体レーザー１２を固着した第１ホルダー３１と、回折格子１３を固着し第２ホルダー３２とが軸孔嵌合された状態で、第１ホルダー３１の一端面３１ｂに当接した板バネ３４の一対の掛止片３４ｇ，３４ｈと、第２ホルダー３２の他端面３２ｄのコーナー部位に当接した板バネ３４の一対の押圧片３４ｃ，３４ｄとで第１，第２ホルダー３１，３２が一体的に押圧挟持されている。
【００４７】
ここで、上記のように構成した半導体レーザー・回折格子取り付け機構部３０の調整動作について図３（ａ），（ｂ）を用いて説明する。
【００４８】
まず、第１ホルダー３１の一端面３１ｂに形成した一対の治具挿入孔３１ｅ，３１ｆ内に一対の第１治具３５，３６を挿入して、これら一対の第１治具３５，３６により第３ホルダー３３の円錐孔３３ａ内に半球状外周面３１ａを嵌め込んだ第１ホルダー３１をθ１傾けて、この第１ホルダー３１に固着させた半導体レーザー１２から出射したレーザー光Ｌの光軸ＫＬを光学ベース１１（図１）内で仮想に設定した基準光軸Ｋ（図１）に略一致させるように調整する。この際、第３ホルダー３３を光学ベース１１の半導体レーザー取り付け面１１ａに沿ってＸＹ方向に適宜移動して半導体レーザー１２の取り付け位置調整することも可能である。
【００４９】
次に、第２ホルダー３２に形成した一対の冶具挿入部３２ｇ，３２ｈのうちいずれか一方となる例えば冶具挿入部３２ｇに第２治具３７を挿入して、この第２治具３７により第１ホルダー３１の有底孔３１ｇ（図２）内に小径外周軸部３２ａ（図２）を嵌め込んだ第２ホルダー３２をθ２回転させて、第２ホルダー３２に固着させた回折格子１３を半導体レーザー１２から出射したレーザー光Ｌの光軸ＫＬに対して直交する方向に回転位置調整している。
【００５０】
この際、第１，第２ホルダ−３１，３２は板バネ３４によって一体的に押圧挟持されているが、板バネ３４中で互いに対向して光学ベース１１の半導体レーザー取り付け面１１ａに対してそれぞれ内側に向かって角度α傾斜させた一対の押圧片３４ｃ，３４ｄが前述したように第２ホルダー３２の大径外周円筒部３２ｂと他端面３２ｄとが交差するコーナー部位に当接して、一対の押圧片３４ｃ，３４ｄによる押圧力ｆ１が冶具挿入部３２ｇ側に向かうように付勢されているために、第１ホルダー３１の有底孔３１ｇ（図２）と第２ホルダー３２の小径外周軸部３２ａ（図２）との間に生じる隙間に対して第２ホルダー３２の小径外周軸部３２ａ（図２）は隙間内の一方側に押し寄せられて隙間がなくなり、第２治具３７から反力Ｆｙが得られるために、第１ホルダー３１に対して第２ホルダー３２がガタ付きなく回転できるので回折格子１３の回転位置を正確に調整することができる。
【００５１】
そして、一対の第１治具３５，３６により半導体レーザー１２から出射したレーザー光Ｌの光軸ＫＬの傾き調整と、半導体レーザー１２の位置調整とを行い、且つ、第２治具３７により回折格子１３の回転位置調整とをそれぞれ分けて調整することで、各調整がし易くなる。
【００５２】
そして、各調整が終了した段階で、第１，第２，第３ホルダー３１，３２，３３同士を接着剤により固着すると共に、第３ホルダー３３を光学ベース１１の半導体レーザー取り付け面１１ａに接着剤により固着している。
【００５３】
尚、半導体レーザー１２から出射したレーザー光Ｌの光軸ＫＬの傾き調整と、半導体レーザー１２の位置調整と、回折格子１３の回転位置調整は、調整順が決められてなく、適宜繰り返して最適な状態に調整することで、図８に示したように、光ディスクＤの信号面ｄ１に形成されたトラックＴ中でメインビームＭＢを一つのトラックＴ０上に正確に照射させ、且つ、一対のサブビームＳＢ１，ＳＢ２を一つのトラックＴ０の両側のトラックＴ１，Ｔ２上に正確に照射させることができる。
【００５４】
尚更に、この実施例１では、半導体レーザー１２から出射したレーザー光Ｌの光軸ＫＬの傾きを調整するための傾動手段は、第１ホルダー３１の半球状外周面３１ａを第３ホルダー３３の円錐孔３３ａ（又は光学ベース１１の半導体レーザー取り付け面１１ａに形成した不図示の円錐孔）に嵌め込んで構成されているが、これに限定されるものでなく、レーザー光Ｌの光軸ＫＬの傾きを調整できる構造であればいかなる傾動手段でも良い。
【実施例２】
【００５５】
図４は本発明に係る実施例２の光ピックアップ装置を示した構成図、
図５（ａ），（ｂ）は本発明に係る実施例２の光ピックアップ装置において、半導体レーザーと回折格子とを一体的に取り付ける半導体レーザー・回折格子取り付け機構部を示した側断面図，上面図、
図６（ａ），（ｂ）は本発明に係る実施例２の光ピックアップ装置において、半導体レーザーから出射されるレーザー光の光軸を光学ベース内で仮想に設定した基準光軸に略一致させるように調整すると共に、回折格子を半導体レーザーから出射されるレーザー光の光軸に対して直交する方向に回転位置調整する動作を説明するために拡大して示した側面図，上面図である。
【００５６】
図４に示した如く、実施例２の光ピックアップ装置１０Ｂでも、先に図７を用いて説明した一般的な光ピックアップ装置１０Ｃと同様に、箱状に形成された光学ベース１１に半導体レーザー１２と、回折格子１３と、コリメーターレンズ１４と、偏光ビームスプリッタ１５と、モニタ用集光レンズ１６と、モニタ用光検出器１７と、立ち上げミラー１８と、１／４波長板１９と、対物レンズ２０と、レンズホルダー２１と、フォーカスコイル２２と、トラッキングコイル２３と、検出レンズ２４と、シリンドリカルレンズ２５と、多分割型光検出器２６とが内蔵されている。
【００５７】
ここで、実施例２の光ピックアップ装置１０Ｂにおいて、一般的な光ピックアップ装置１０Ｃに対して異なる点について説明すると、光学ベース１１の半導体レーザー取り付け面１１ａ側に半導体レーザー・回折格子取り付け機構部４０が設けられている。
【００５８】
上記した半導体レーザー・回折格子取り付け機構部４０では、略半球状に形成された第１ホルダー４１の一端面側に半導体レーザー１２が取り付けられ、且つ、半導体レーザー１２の出射側となる第１ホルダー３１の他端面側に回折格子１３が固着された状態で第１ホルダー４１が第２ホルダー４２に対して傾動可能且つ回転可能に取り付けられており、半導体レーザー１２から出射されたレーザー光Ｌの光軸ＬＫを光学ベース１１内で仮想に設定した基準光軸Ｋと略一致させるように第１ホルダー４１を第２ホルダー４２に対して傾動させ、且つ、回折格子１３を半導体レーザー１２から出射されたレーザー光Ｌの光軸ＬＫに対して直交する方向に回転位置調整するように第１ホルダー４１を第２ホルダー４２に対して回転させて、この第２ホルダー４２を光学ベース１１の半導体レーザー取り付け面１１ａに取り付けている。
【００５９】
より具体的に説明すると、図５（ａ），（ｂ）に示した半導体レーザー・回折格子取り付け機構部４０において、まず、第１ホルダー４１は、樹脂材を用いて半球状外周面４１ａとこの半球状外周面４１ａより小径な小径外周円筒面４１ｂとが一端面４１ｃ側から他端面４１ｄ側に向かって連接して形成されている。
【００６０】
また、第１ホルダー４１の一端面４１ｃ側から他端面４１ｄ側に向かって段付き中心孔４１ｅと、この段付き中心孔４１ｅよりも小径な小径中心孔４１ｆとが同軸的に貫通して穿設されて、第１ホルダー４１の一端面４１ｃ側から半導体レーザー１２が段付き中心孔４１ｅ内に接着剤を用いて固着されている。
【００６１】
また、第１ホルダー４１の一端面４１ｃには、段付き中心孔４１ｅを挟んで一対の治具挿入孔４１ｇ，４１ｈが対称に形成されていると共に、第１ホルダー４１の他端面４１ｄ側には、小径中心孔４１ｆよりも大径な有底孔４１ｉが小径中心孔４１ｆと同軸的に形成されて、この有底孔４１ｉ内の中心部位に矩形状の回折格子１３が接着剤を用いて固着されている。
【００６２】
次に、第２ホルダー４２は、樹脂材を用いて板状に形成されており、中心部位に円錐孔４２ａが貫通して穿設されて、この円錐孔４２ａ内に第１ホルダー４１の半球状外周面４１ａが傾動可能に嵌め込まれている。
【００６３】
更に、第２ホルダー４２は、光学ベース１１の半導体レーザー取り付け面１１ａに沿ってＸ軸方向と、Ｘ軸に直交するＹ軸方向とに移動可能になっており、第１，第２ホルダー４１，４２が一体となって光学ベース１１の半導体レーザー取り付け面１１ａ内を移動することで、光学ベース１１の半導体レーザー取り付け面１１ａに対して半導体レーザー１２の取り付け位置調整が可能になっているものの、半導体レーザー１２の取り付け位置調整を行なわない場合には、第２ホルダー４２を用いずに光学ベース１１の半導体レーザー取り付け面１１ａに円錐孔（図示せず）を直接穿設して、この円錐孔（図示せず）内に第１ホルダー４１の半球状外周面４１ａを傾動可能に嵌め込んでも良い。
【００６４】
ここで、上記のように構成した半導体レーザー・回折格子取り付け機構部４０の調整動作について図６（ａ），（ｂ）を用いて説明する。
【００６５】
まず、第１ホルダー４１の一端面４１ｃに形成した一対の治具挿入孔４１ｇ，４１ｈ内に一対の治具４３，４４を挿入して、これら一対の治具４３，４４により第２ホルダー４２の円錐孔４２ａ内に半球状外周面４１ａを嵌め込んだ第１ホルダー４１をθ１傾けて、この第１ホルダー４１に固着させた半導体レーザー１２から出射したレーザー光Ｌの光軸ＫＬを光学ベース１１（図４）内で仮想に設定した基準光軸Ｋ（図４）に略一致させるように調整する。この際、第２ホルダー４２を光学ベース１１の半導体レーザー取り付け面１１ａに沿ってＸＹ方向に適宜移動して半導体レーザー１２の取り付け位置調整することも可能である。
【００６６】
また、第１ホルダー４１の一対の治具挿入孔４１ｇ，４１ｈ内に挿入した一対の治具４３，４４により、第２ホルダー４２の円錐孔４２ａ内に半球状外周面４１ａを嵌め込んだ第１ホルダー４１を半導体レーザー１２から出射させたレーザーＬの光軸ＫＬに対して直交する方向にθ２回転させて、第１ホルダー４１に固着させた回折格子１３の回転位置調整している。
【００６７】
そして、一対の治具４３，４４により半導体レーザー１２から出射したレーザー光Ｌの光軸ＫＬの傾き調整と、半導体レーザー１２の位置調整と、回折格子１３の回転位置調整とを行なっているので、実施例２の半導体レーザー・回折格子取り付け機構部４０は実施例１の半導体レーザー・回折格子取り付け機構部３０よりも構造が簡単になるものの、一対の治具４３，４４の構造がやや複雑となる。
【００６８】
そして、各調整が終了した段階で、第１，第２ホルダー４１，４２同士を接着剤により固着すると共に、第２ホルダー４２を光学ベース１１の半導体レーザー取り付け面１１ａに接着剤により固着している。
【００６９】
尚、半導体レーザー１２から出射したレーザー光Ｌの光軸ＫＬの傾き調整と、半導体レーザー１２の位置調整と、回折格子１３の回転位置調整は、調整順が決められてなく、適宜繰り返して最適な状態に調整することで、図８に示したように、光ディスクＤの信号面ｄ１に形成されたトラックＴ中でメインビームＭＢを一つのトラックＴ０上に正確に照射させ、且つ、一対のサブビームＳＢ１，ＳＢ２を一つのトラックＴ０の両側のトラックＴ１，Ｔ２上に正確に照射させることができる。
【００７０】
尚更に、この実施例２では、半導体レーザー１２から出射したレーザー光Ｌの光軸ＫＬの傾きを調整し、且つ、回折格子１３の回転位置を調整するための傾動及び回転手段は、第１ホルダー４１の半球状外周面４１ａを第２ホルダー４２の円錐孔４２ａ（又は光学ベース１１の半導体レーザー取り付け面１１ａに形成した不図示の円錐孔）に嵌め込んで構成されているが、これに限定されるものでなく、レーザー光Ｌの光軸ＫＬの傾き調整と回折格子１３の回転位置調整とができる構造であればいかなる傾動及び回転手段でも良い。
【図面の簡単な説明】
【００７１】
【図１】本発明に係る実施例１の光ピックアップ装置を示した構成図である。
【図２】（ａ），（ｂ）は本発明に係る実施例１の光ピックアップ装置において、半導体レーザーと回折格子とを一体的に取り付ける半導体レーザー・回折格子取り付け機構部を示した側断面図，上面図である。
【図３】（ａ），（ｂ）は本発明に係る実施例１の光ピックアップ装置において、半導体レーザーから出射されるレーザー光の光軸を光学ベース内で仮想に設定した基準光軸に略一致させるように調整すると共に、回折格子を半導体レーザーから出射されるレーザー光の光軸に対して直交する方向に回転位置調整する動作を説明するために拡大して示した側面図，上面図である。
【図４】本発明に係る実施例２の光ピックアップ装置を示した構成図である。
【図５】（ａ），（ｂ）は本発明に係る実施例２の光ピックアップ装置において、半導体レーザーと回折格子とを一体的に取り付ける半導体レーザー・回折格子取り付け機構部を示した側断面図，上面図である。
【図６】（ａ），（ｂ）は本発明に係る実施例２の光ピックアップ装置において、半導体レーザーから出射されるレーザー光の光軸を光学ベース内で仮想に設定した基準光軸に略一致させるように調整すると共に、回折格子を半導体レーザーから出射されるレーザー光の光軸に対して直交する方向に回転位置調整する動作を説明するために拡大して示した側面図，上面図である。
【図７】一般的な光ピックアップ装置を示した構成図である。
【図８】一般的な光ピックアップ装置から出射させたメインビームと一対のサブビームとを光ディスクの信号面に形成したトラック上に照射した状態を拡大して示した平面図である。
【図９】従来の回折格子装置を示した断面図である。
【符号の説明】
【００７２】
１０Ａ…実施例１の光ピックアップ装置、
１０Ｂ…実施例２の光ピックアップ装置、
１１…光学ベース、１１ａ…半導体レーザー取り付け面、
１２…半導体レーザー、１３…回折格子、１４…コリメーターレンズ、
１５…偏光ビームスプリッタ、１５ａ…偏光選択性誘電体多層膜、
１６…モニタ用集光レンズ、１７…モニタ用光検出器、
１８…立ち上げミラー、１９…１／４波長板、
２０…対物レンズ、２１…レンズホルダー、
２２…フォーカスコイル、２３…トラッキングコイル、
２４…検出レンズ、２５…シリンドリカルレンズ、２６…多分割型光検出器、
３１…第１ホルダー、３１ａ…半球状外周面、３１ｂ…一端面、３１ｃ…他端面、
３１ｄ…段付き中心孔、３１ｅ，３１ｆ…一対の治具挿入孔、３１ｇ…有底孔、
３２…第２ホルダー、３２ａ…小径外周軸部、３２ｂ…大径外周円筒部、
３２ｃ…一端面、３２ｄ…他端面、３２ｅ…中心孔、３２ｆ…有底孔、
３２ｇ，３２ｈ…一対の冶具挿入部、
３３…第３ホルダー、３３ａ…円錐孔、３３ｂ，３３ｃ…一対の切り欠き孔、
３４…板バネ、３４ａ…上面、３４ｂ…矩形孔、３４ｃ，３４ｄ…一対の押圧片、
３４ｅ，３４ｆ…一対の中間支持片、３４ｇ，３４ｈ…一対の掛止片、
３５，３６…一対の第１治具、３７…第２治具、
４１…第１ホルダー、４１ａ…半球状外周面、４１ｂ…小径外周円筒面、
４１ｃ…一端面、４１ｄ…他端面、４１ｅ…段付き中心孔、４１ｆ…小径中心孔、
４１ｇ，４１ｈ…一対の冶具挿入孔、４１ｉ…有底孔、
４２…第２ホルダー、４２ａ…円錐孔、
４３，４４…一対の冶具、
Ｌ…レーザー光、ＬＫ…レーザー光の光軸、
Ｋ…光学ベース内で仮想に設定した基準光軸、
ＭＢ…メインビーム、ＳＢ１，ＳＢ２…一対のサブビーム。
【図１】
2009032311.tif 000003
【図２】
2009032311.tif 000004
【図３】
2009032311.tif 000005
【図４】
2009032311.tif 000006
【図５】
2009032311.tif 000007
【図６】
2009032311.tif 000008
【図７】
2009032311.tif 000009
【図８】
2009032311.tif 000010
【図９】
2009032311.tif 000011